(57)【特許請求の範囲】
【請求項１】
被洗浄者（Ａ）が寝かされたストレッチャー（２５）を前部の出入口（ア）から前後方向に抜き差し可能に収容することができ、この前後方向に伸縮可能の収容部（２）を設け、該収容部（２）内に収容部（２）内の被洗浄者（Ａ）に向けて洗浄水を吐出する吐出装置（１５）を設けたことを特徴とする身体洗浄装置。
【請求項２】
前記収容部（２）は、後部側に前部が開口した硬質製の格納ケース（５）を起立配置し、該格納ケース（５）に伸縮可能の囲繞体（６）を前方に向けて出没可能に接続したことを特徴とする請求項１記載の身体洗浄装置。
【請求項３】
前記囲繞体（６）は、所定の断面形状を有する可撓性の囲繞シート（６ａ）に保形用の芯材（６ｂ）を前後方向に所定ピッチで設けてなる蛇腹形としたことを特徴とする請求項１又は２記載の身体洗浄装置。
【請求項４】
前記囲繞体（６）は筒状とし、該囲繞体（６）の下部に排水孔（６ｃ）を設けたことを特徴とする請求項２又は３記載の身体洗浄装置。
【請求項５】
前記格納ケース（５）に前記囲繞体（６）を前後に向けて案内するガイド部材（４５）を設けたことを特徴とする請求項４記載の身体洗浄装置。
【請求項６】
被洗浄者（Ａ）を寝かせた状態で支持するストレッチャー（２５）を設け、該ストレッチャー（２５）に請求項２記載の格納ケース（５）に当接する規制部（２６ａ）と、請求項４記載の囲繞体（６）を前後摺動可能に支持するガイドバー（３５）とを設けたことを特徴とする身体洗浄装置のストレッチャー。
【請求項７】
前記ストレッチャー（２５）に伸長した囲繞体（６）の前部と係合する係合体（３７）を設けたことを特徴とする請求項６記載の身体洗浄装置のストレッチャー。
【請求項８】
前記ストレッチャー（２５）に請求項４記載の囲繞体（６）の排水孔（６ｃ）から流出した水を後方に向けて流す排水トレイ（３６）を設けたことを特徴とする請求項６又は７記載の身体洗浄装置のストレッチャー。
【発明の詳細な説明】
【０００１】
【発明の属する技術分野】
本発明は、被洗浄者を寝かせた状態で温水あるいは冷水等をかけて洗浄する身体洗浄装置に関するものである。
【０００２】
【従来の技術】
従来の技術として、被洗浄者が寝かされたストレッチャーを前部の出入口から抜き差し可能に収容する収容部を設け、該収容部内に、収容部内に収容された被洗浄者に向けて洗浄水を吐出する多数の吐出ノズルを設けてなる体洗浄装置があった（特公平８−２２３０３号）。
【０００３】
【発明が解決しようとする課題】
上記従来のものは、収容部が固定した容積であったため、被洗浄者が寝かされたストレッチャーを上記収容部に出し入れする際に前後方向に大きなスペースを要するものであった。本発明は、収容部を前後方向に伸縮させることにより上記不具合を解消した新規な身体洗浄装置及びそのストレッチャーを得ることを目的とする。
【０００４】
【課題を解決するための手段】
本発明は、上記目的を達成するために以下の如く構成したものである。即ち、請求項１の発明は、被洗浄者（Ａ）が寝かされたストレッチャー（２５）を前部の出入口（ア）から前後方向に抜き差し可能に収容することができ、この前後方向に伸縮可能の収容部（２）を設け、該収容部（２）内に収容部（２）内の被洗浄者（Ａ）に向けて洗浄水を吐出する吐出装置（１５）を設けたものである。また、請求項２の発明は、前記収容部として、後部側に前部が開口した硬質製の格納ケースを起立配置し、該格納ケースに伸縮可能の囲繞体を前方に向けて出没可能に接続するようにしたものである。また、請求項請求項３の発明は、前記囲繞体を、所定の断面形状を有する可撓性の囲繞シートに保形用の芯材を前後方向に所定ピッチで設けてなる蛇腹形としたものである。また、請求項４の発明は、前記囲繞体を筒状とし、該囲繞体の下部に排水孔を設けたものである。また、請求項５の発明は、前記格納ケースに前記囲繞体を前後に向けて案内するガイド部材を設けたものである。また、請求項６の発明は、被洗浄者を寝かせた状態で支持するストレッチャーを設け、該ストレッチャーに格納ケースに当接する規制部と、筒状の囲繞体を前後摺動可能に支持するガイドバーとを設けたものである。また、請求項７の発明は、前記ストレッチャーに伸長した囲繞体の前部と係合する係合体を設けたものである。また、請求項８の発明は、前記ストレッチャーに囲繞体の排水孔から流出した水を後方に向けて流す排水トレイを設けたものである。
【０００５】
【発明の実施の形態】
以下、本発明の実施の形態を図面に基いて説明する。図面において、図１は本発明の第１実施例を示す身体洗浄装置の部分断面側面図、図２は図１のＩＩ−ＩＩ  断面図、図３は図１のＩＩＩ−ＩＩＩ  相当の断面図、図４は本発明による収容部の伸縮状態を示す側面図、図５は吐出ノズル取付け部の拡大図、図６は図５のＶＩ−ＶＩ  断面図、図７は本発明によるストレッチャーの側面図、図８は本発明の第２実施例を示す身体洗浄装置の側面図、図９は図８の左部から見た正面図、図１０は本発明の第３実施例を示す身体洗浄装置の側面図、図１１は図１０の左部から見た正面図、図１２は本発明の第４実施例を示す身体洗浄装置の側面図、図１３は図１２の左部から見た正面図、図１４は本発明の第５実施例を示す身体洗浄装置の斜視図である。
【０００６】
図１〜図７において、１は本発明による身体洗浄装置、２５はストレッチャー、Ａは被洗浄者である。上記身体洗浄装置は収容部２内に吐出装置１５を設けてなる。上記収容部２は、図１、図４に示すように、支持台３に左右（前後）の長さが約２５０ｍｍ、一辺が約１０００ｍｍとなる偏平な箱状の保持ケース４を起立支持し、該保持ケース４の左部（前部）に直径約９００ｍｍ、左右の長さが３００ｍｍとなる格納ケース５を一体的に接続し、該格納ケース５に直径約８５０ｍｍ、左右の長さが約１４４０ｍｍとなる円筒状かつ伸縮可能な囲繞体６を左方に向けて出没可能に接続する。
【０００７】
上記保持ケース４及び格納ケース５は硬質のプラスチック材により形成し、格納ケース５は前面（左面）が開口しかつ後面（右面）が閉塞された短尺な円筒状に形成してなる。また、上記囲繞体６は、図１、図５、図６に示すように、可撓性かつ非通水性のシートを円筒状に形成した囲繞シート６ａ内にリング状のステンレス線製の芯材６ｂを前後方向に約１３０ｍｍのピッチで配列固定してなる蛇腹筒形とし、囲繞シート６ａの下部に小径の排水孔６ｃ（図３）を前後方向に多数明けてなる。この囲繞体６は上記格納ケース５に出没可能に嵌合させるとともに、その後端（右端）を該格納ケース５の内底部（右端面）に連結する。
【０００８】
上記囲繞体６の前端（左端）に硬質プラスチック製の口環７を接続する。この口環７は後述するストレッチャー２５の出入口をなすもので、前後幅が約２２０ｍｍとなる環状に形成し、図１、図３、図４に示すように、下部に車輪９を有する可動台８により移動可能に支持する。この口環７は、内周（出入口ア）の後部を円形にしてこの部に上記囲繞体６の前端を接続し、内周の前端（出入口）の下部を起立させて洗浄水の遮蔽壁７ａ（図３）とする。また、外周は角形にするとともにその下辺に台形状の凹部７ｂ（図３）を形成し、外周の左右両側に移動操作用の把手７ｃを取り付ける。
【０００９】
上記のように構成した収容部内に洗浄水を吐出する吐出装置１５を取り付ける。この吐出装置１５は、図１に示すように、囲繞体６の各芯材６ｂの上端部と下端部とに上部吐出ノズル１６ａと下部吐出ノズル１６ｂとを、前後の芯材６ｂに一つ置きに取付け、各上下部の吐出ノズル１６ａ，１６ｂを囲繞体６の内面に沿って螺旋状に巻回した可撓性かつ耐熱性の導入ホース１７により直列に接続し、該導入ホース１７の供給口（後端）１７ａを保持ケース４の後面から外部に露出させ、この供給口１７ａを外部の給湯装置（図示省略）に接続する。上記各上下部の吐出ノズル１６ａ，１６ｂは、図５、図６示すように、両側にホース接続口１８ａ，１８ｂを有し、中心部にノズル取付け口１８ｃを一体に有するＴ形のホルダー１８を挟持具１９により芯材６ｂに挟持固定し、各ホース接続口１８ａ，１８ｂに上記導入ホース１７を接続し、ノズル取付け口１８ｃに上下部の吐出ノズル１６ａ，１６ｂを取付ける。
【００１０】
前述したストレッチャー２５は、図７に示すようになっている。即ち、パイプ材により前後方向に細長い長方形枠状に形成した下部フレーム２６を前後部に取り付けたブレーキ付きの車輪（キャスター）２７により支持し、該下部フレーム２６の上部に上部フレーム２８を配置し、該上部フレーム２８を下部フレーム２６の前部（左部）に起立固定した支柱３０にスライド管３１を介して上下動可能に支持し、下部フレーム２６の前端部に設けた油圧式の昇降シリンダー３２を作動させて上記上部フレーム２８の高さを調節する。３２ａは昇降シリンダー３２を伸長作動させる上昇ペダル、３２ｂは昇降シリンダー３２を短縮作動させる下降ペダルである。上部フレーム２８はパイプ材により前後の長さが約２０７０ｍｍ、幅が約６００ｍｍとなる細長い長方形枠状に形成し、該上部フレーム２８に筒状のネット２９（図３）を嵌合させて上面に被洗浄者Ａを寝かせた状態で支持する支持面を形成する。
【００１１】
上記下部フレーム２６の後端（右端）は、図２に示すように、支持台２に取り付けたストッパー１０に当接可能の規制部２６ａとする。また、下部フレーム２６の後端中心部に下方に突出するガイドローラー３３（図７）を取付け、図２に示すように、ストレッチャー２５を上記支持台２に向けて接近させた際に、上記ガイドローラー３３を支持台２の左右中心部に取り付けたガイドレール１１に嵌合させ、上記規制部２６ａとガイドローラー３３とでストレッチャー２５を支持台２に位置決めする。図２において１２は支持台２に取り付けた係合フックであり、ストレッチャー２５が支持台２に向接近させた際にこの係合フック１２が下部フレーム２６の後辺（右辺）係合してストレッチャー２５の不用意な移動、離脱を防止する。
【００１２】
上記下部フレーム２６の左右両側にそれぞれ前後一対の支持管３４を起立固定し、該支持管３４の上部に前後方向に延びる左右一対のガイドバー３５を固定し、左右の該ガイドバー３５，３５間に樋状の排水トレイ３６を取り付ける。上記ガイドバー３５は、図３に示すように、囲繞体６が伸長する際に、その中間部の下部を摺動可能に支持する。また、上記排水トレイ３６は、後方に向けて下り傾斜させ、囲繞体６の排水孔６ｃから流出した水を後方に向けて排出する。また、上記下部フレーム２６の前部の左右両側に、ローラーからなる係合体３７を垂下支持する。
【００１３】
上記係合体３７は、囲繞体６の前部を支持する可動台８に取り付けた係止具１３が係合するようになっている。この係止具１３は、図１、図４に示すように、可動台８の左右両側にレバー１３ａを上下回動可能に支持し、このレバー１３ａの前端部に円弧状のドグ１３ｂを上方に向けて突出固定し、該レバー１３ａをそ後部に設けた圧縮ばね１３ｃによりドグ１３ｂが上方に移動する方向に回動付勢してなる。これにより、囲繞体６を伸長させるべく、可動台８を前進させて上記ドグ１３ｂを係合体３７の前部側に通過させると、該ドグ１３ｂが圧縮ばね１３ｃの弾性力により係合体３７の前面側に弾圧係止し、上記可動台８が係止具１３、係合体３７を介してストレッチャー２５と係合し、囲繞体６の伸長を保持するとともに、ストレッチャー２５を支持台３側に係止することになる。
【００１４】
上記可動台８の両側内面側に、図２に示すように、ガイドローラー１４ａ及びスライダー１４ｂを取付け、これらをストレッチャー２５の下部フレーム２６の両側外面に対面させ、可動台８の前後方向に移動させる際に該可動台８が円滑に前後移動できるようにする。なお、図７において３８は被洗浄者Ａの頭部を支持する枕、３９は被洗浄者Ａの頭部の下方に配置した洗髪トレイ、４０はストレッチャー２５の把手、図１において４１は格納ケース５の下部に取り付けた後部排水トレイであり、ストレッチャー２５側の排水トレイ３６から流出した排水を受けて床面の排水口、あるいは排水ホース（図示省略）に排出するものである。
【００１５】
上記第１実施例によれば、囲繞体６を短縮させると、該囲繞体６が格納ケース５内に格納され、身体洗浄装置１の前方に広い空間が発生することになる。この状態で被洗浄者Ａを寝かせたストレッチャー２５を上記身体洗浄装置１の前部側に移動させるとともに、図２に示すように、そのガイドローラー３３を支持台３側のガイドレール１１間に沿って転動させるとともに、その規制部２６ａを支持台３側のストッパー１０に当接させる。また、ストレッチャー２５の下部フレーム２６の後部辺を係合フック１２に係合させる。これにより、上記ストレッチャー２５が身体洗浄装置１の前部側に高精度にかつ移動不能に位置決めされることになる。
【００１６】
この状態で囲繞体６の口管７を前方に向けて引っ張ると、可動台８の車輪９が転動するとともに、ガイドローラー１４ａ，スライダー１４ｂがストレッチャー２５の下部フレーム２６の両側に案内されて前方に直進移動するとともに、囲繞体６の前後方向中間部が該ストレッチャー２５のガイドバー３５上を摺動して伸長する。そして、上記可動台８が最前進状態になると、図１に示すように、可動台８のドグ１３ｂがストレッチャー２５側の係合体３７を通過してその前面側に弾圧係止し、該可動台８が係止具１３、係合体３７を介してストレッチャー２５と係合して囲繞体６の伸長を保持するとともに、該囲繞体６の中間部を上記ガイドバー３５が支持し、直管状に保持することになる。
【００１７】
この状態で口管７の出入口（ア）部に設けたカーテン部材（図示省略）を閉作動させて被洗浄者Ａの首部の周囲を包囲して頭部のみを外部に露出させ、次いで吐出装置１５に洗浄水（温水）を圧送し、各吐出ノズル１６ａ，１６ｂから洗浄水を囲繞体６内の被洗浄者Ａに向けて吐出し、該被洗浄者Ａを洗浄及び加温する。
【００１８】
上記洗浄作業が終了した際には、吐出装置１５を停止させた後、囲繞体６の口管７を後方に押すと、上記可動台８のドグ１３ｂが圧縮ばね１３ｃの反力に抗してストレッチャー２５側の係合体３７を通過し、可動台８のストレッチャー２５との係合が解除され、車輪９が転動するとともに、ガイドローラー１４ａ，スライダー１４ｂがストレッチャー２５の下部フレーム２６の両側に案内されて後方に直進移動するとともに、囲繞体６の前後方向中間部が該ストレッチャー２５のガイドバー３５上を摺動して規則正しく短縮して格納ケース５内に格納され、身体洗浄装置１の前方に広い空間が発生する。この状態で係合フック１２を解除作動させ、ストレッチャー２５を前方に引っ張ると、そのガイドローラー３３および規制部２６ａが支持台３から離脱し、所定の方向に円滑に移動させることができる。
【００１９】
図８、図９は第２実施例を示す。図８、図９において、１は身体洗浄装置、２はその収容部、３は支持台、４は保持ケース、５は格納ケース、６は蛇腹筒状の囲繞体、７は囲繞体６の前部に接続した口環であり、これらは前述した第１実施例と略同様の構造となっている。上記保持ケース４に左右一対の上部ガイドバー（ガイド部材）４５を前方に向けて突出支持し、該上部ガイドバー４５にスライダー４６を前後摺動可能に嵌合させ、該スライダー４６に左右一対の連結ロッド４７を下方に向けて突出固定し、該連結ロッド４７の下部を上記口環７の上部に連結する。なお、上記囲繞体６内には第１実施例と同様の吐出装置（図示省略）を設ける。
【００２０】
これにより、口環７の下部と上部とを可動台８と上部ガイドバー４５とで前後方向に移動可能に支持する。また、保持ケース５の下部と口環７の下部とを伸縮可能の排水トレイ４８により接続する。この排水トレイは、短尺な多数の溝形トレイ４８ａを摺動可能に重ね合わせ、囲繞体６の中間部を支持するとともに、該囲繞体６の下部から流出した排水を後部（右部）に向けて排出する。
【００２１】
図１０、図１１は第３実施例を示す。図１０、図１１において、１は身体洗浄装置、２はその収容部、３はブレーキ付きの車輪（キャスター）３ａを有する支持台、４は保持ケース、５は格納ケース、６は蛇腹筒状の囲繞体、７は囲繞体６の前部に接続した口環、８は該口環７を支持する可動台であり、これらは第１実施例と略同様の構造となっている。上記口環７の後部（右部）に円筒状の格納筒５０を取付け、該格納筒５０と上記格納ケースとを外周部に設けた４本の伸縮可能な連結ロッド５１により接離可能に連結する。なお、上記囲繞体６内には第１実施例と同様の吐出装置（図示省略）を設ける。
【００２２】
図１２、図１３は第４実施例を示す。図１２、図１３において、１は身体洗浄装置、２は収容部である。この収容部２は硬質のプラスチック材により前面が開口しかつ後面が閉塞された有底円筒状の後部ケース５２と硬質のプラスチック材により円筒状に形成された前部ケース５３とを摺動可能に嵌合させるとともに下部にブレーキ付きの車輪（キャスター）５２ａ，５３ａを取付けてなる。図１３において、（ア）はストレッチャー２５の出入口である。なお、上記収容部２内には洗浄水を吐出する多数の吐出ノズル（図示省略）を設ける。
【００２３】
図１４は第５実施例を示す。図１４において、１は身体洗浄装置であり、後部に前面及び下面が開口した箱状の格納ケース５５を脚５６を介して起立支持し、該格納ケース５５に蛇腹形の囲繞体５７を前方に向けて出没可能に接続する。この囲繞体５７は下面が開口した倒立Ｕ字状に形成し、左右両辺の下端に多数の車輪５８を取付けてなり、内部に多数の吐出ノズル（図示省略）を設ける。
【００２４】
上記第２実施例〜第５実施例によれば、ストレッチャー２５のガイドを要することなく収容部２を単独で前後方向に伸縮させることができる。そして、収容部２を伸縮させることにより、第１実施例と同様に被洗浄者Ａが寝かされたストレッチャー２５を狭いスペースで身体洗浄装置１に出し入れすることができる。なお、上記収容部２の囲繞体６は弾性を有するゴム材、樹脂材等により形成するようにしてもよい。
【００２５】
【発明の効果】
以上の説明から明らかな如く、本発明の請求項１に係る発明は、収容部を伸縮可能としたので、ストレッチャーに寝かされた被洗浄者を狭いスペースで洗浄することができる。
また、請求項２に係る発明は、伸縮可能の囲繞体を硬質製の格納ケースに出没可能に接続したので、囲繞体を短縮させて格納ケースに格納することにより、運搬、設置等が容易となる。
また、請求項３に係る発明は、前記囲繞体を可撓性の囲繞シートと保形用の芯材とによる蛇腹形としたので安価にかつ軽量にすることができる。
また、請求項４に係る発明は、囲繞体を筒状とし、該囲繞体の下部に排水孔を設けたので、密閉効率が高くなるとともに排水処理が容易となる。
また、請求項５に係る発明は、前記格納ケースに囲繞体を案内するガイド部材を設けたので、囲繞体を直線状に伸縮させることができる。
また、請求項６に係る発明は、ストレッチャーに格納ケースに当接する規制部と、筒状の囲繞体を前後摺動可能に支持するガイドバーとを設けたので、洗浄時にストレッチャーおよび囲繞体を高精度に位置きめするとともに、囲繞体を直線状に伸縮させることができる。
また、請求項７に係る発明は、伸長した囲繞体の前部をストレッチャーに係合させるようにしたので、伸長させた囲繞体が不用意に短縮しなくなる。
また、請求項８に係る発明は、前記ストレッチャーに囲繞体の排水孔から流出した水を後方に向けて流す排水トレイを設けたので、洗浄装置本体側の排水構造を簡素にすることができる。
【図面の簡単な説明】
【図１】本発明の第１実施例を示す身体洗浄装置の部分断面側面図である。
【図２】図１のＩＩ−ＩＩ  断面図である。
【図３】図１のＩＩＩ−ＩＩＩ  相当の断面図である。
【図４】本発明による収容部の伸縮状態を示す側面図である。
【図５】吐出ノズル取付け部の拡大図である。
【図６】図５のＶＩ−ＶＩ  断面図である。
【図７】本発明によるストレッチャーの側面図である。
【図８】本発明の第２実施例を示す身体洗浄装置の側面図である。
【図９】図８の左部から見た正面図である。
【図１０】本発明の第３実施例を示す身体洗浄装置の側面図である。
【図１１】図１０の左部から見た正面図である。
【図１２】本発明の第４実施例を示す身体洗浄装置の側面図である。
【図１３】図１２の左部から見た正面図である。
【図１４】本発明の第５実施例を示す身体洗浄装置の斜視図である。
【符号の説明】
１      身体洗浄装置
２      収容部
３  支持台
４    保持ケース
５    格納ケース
６    囲繞体
６ａ  囲繞シート
６ｂ  芯材
６ｃ  排水孔
７    口環
（ア）  出入口
７ａ  遮蔽壁
７ｂ  凹部
７ｃ  把手
８    可動台
９    車輪（キャスター）
１０    ストッパー
１１    ガイドレール
１２    係合フック
１３  係止具
１３ａ  レバー
１３ｂ  ドグ
１３ｃ  圧縮ばね
１４ａ  ガイドローラー
１４ｂ  スライダー
１５    吐出装置
１６ａ  上部吐出ノズル
１６ａ  下部吐出ノズル
１７    導入ホース
１７ａ  供給口
１８    ホルダー
１９    挟持具
２５    ストレッチャー
２６    下部フレーム
２７    車輪
２８    上部フレーム
２９    ネット
３０    支柱
３１    スライド管
３２    昇降シリンダー
３２ａ  上昇ペダル
３２ｂ  下降ペダル
３３  ガイドローラー
３４    支持管
３５    ガイドバー
３６    排水トレイ
３７    係合体
３８    枕
３９    洗髪トレイ
４０    把手
４１    後部排水トレイ
４５    上部ガイドバー（ガイド部材）
４６    スライダー
４７    前部連結ロッド
４８    排水トレイ
【図１】
0003604307.tif 000002
【図２】
0003604307.tif 000003
【図３】
0003604307.tif 000004
【図４】
0003604307.tif 000005
【図５】
0003604307.tif 000006
【図６】
0003604307.tif 000007
【図７】
0003604307.tif 000008
【図８】
0003604307.tif 000009
【図９】
0003604307.tif 000010
【図１０】
0003604307.tif 000011
【図１１】
0003604307.tif 000012
【図１２】
0003604307.tif 000013
【図１３】
0003604307.tif 000014
【図１４】
0003604307.tif 000015